(57)【特許請求の範囲】
【請求項１】
無線通信装置であって、
サウンディング基準信号を複数の基地局に送信する、
前記サウンディング基準信号を送信することに応答して前記複数の基地局のタイミングアドバンス（ＴＡ）情報を受信する、
少なくとも部分的に前記ＴＡ情報に基づいて通信のハンドオーバのために前記複数の基地局のうちのターゲット基地局を選択する、
最初のハンドオーバメッセージを送信するために拡張巡回プレフィックスに適合する送信時間間隔（ＴＴＩ）を選択する、そして
前記ＴＴＩの間に前記最初のハンドオーバメッセージを前記ターゲット基地局に送信する
ように構成された少なくとも１つのプロセッサと、
前記少なくとも１つのプロセッサに結合されたメモリと
を備える装置。
【請求項２】
前記少なくとも１つのプロセッサは、前記複数の基地局とのアップリンクスケジュール要求チャネルを確立するようにさらに構成され、前記確立されたアップリンクスケジュール要求チャネルは通信をハンドオーバするために利用される、請求項１に記載の無線通信装置。
【請求項３】
前記少なくとも１つのプロセッサは、少なくとも部分的に無線通信ネットワークにおける前記ターゲット基地局とソース基地局との間のタイミングの差に基づいて前記基地局のタイミングアドバンスを決定するようにさらに構成される、請求項１に記載の無線通信装置。
【請求項４】
前記ＴＡ情報は、前記無線通信装置が現在通信しているソース基地局に要求された通信ギャップ中に受信される、請求項１に記載の無線通信装置。
【請求項５】
無線通信のための方法であって、
サウンディング基準信号を複数の基地局に送信手段が送信することと、
前記サウンディング基準信号を送信することに応答して前記複数の基地局のタイミングアドバンス（ＴＡ）情報を受信手段が受信することと、
少なくとも部分的に前記ＴＡ情報に基づいて通信のハンドオーバのために前記複数の基地局のうちのターゲット基地局を選択手段が選択することと、
最初のハンドオーバメッセージを送信するために拡張巡回プレフィックスに適合する送信時間間隔（ＴＴＩ）を選択手段が選択することと、
前記ＴＴＩの間に前記最初のハンドオーバメッセージを前記ターゲット基地局に送信手段が送信することと、
を備える方法。
【請求項６】
前記複数の基地局とのアップリンクスケジュール要求チャネルを確立手段が確立することをさらに備え、前記確立されたアップリンクスケジュール要求チャネルは通信をハンドオーバするために利用される、請求項５に記載の方法。
【請求項７】
少なくとも部分的に無線通信ネットワークにおける前記ターゲット基地局とソース基地局との間のタイミングの差に基づいて前記基地局のタイミングアドバンスを決定手段が決定することをさらに備える、請求項５に記載の方法。
【請求項８】
前記ＴＡ情報を受信することは、前記無線通信装置が現在通信しているソース基地局に要求された通信ギャップ中に行われる、請求項５に記載の方法。
【請求項９】
無線通信のための装置であって、
サウンディング基準信号を複数の基地局に送信するための手段と、
前記サウンディング基準信号を送信することに応答して前記複数の基地局のタイミングアドバンス（ＴＡ）情報を受信するあめの手段と、
少なくとも部分的に前記ＴＡ情報に基づいて通信のハンドオーバのために前記複数の基地局のうちのターゲット基地局を選択するあめの手段と、
最初のハンドオーバメッセージを送信するために拡張巡回プレフィックスに適合する送信時間間隔（ＴＴＩ）を選択するための手段と、
前記ＴＴＩの間に前記最初のハンドオーバメッセージを前記ターゲット基地局に送信するための手段と、
を備える装置。
【請求項１０】
前記複数の基地局とのアップリンクスケジュール要求チャネルを確立するための手段をさらに備え、前記確立されたアップリンクスケジュール要求チャネルは通信をハンドオーバするために利用される、請求項９に記載の装置。
【請求項１１】
少なくとも部分的に無線通信ネットワークにおける前記ターゲット基地局とソース基地局との間のタイミングの差に基づいて前記基地局のタイミングアドバンスを決定するための手段をさらに備える、請求項９に記載の装置。
【請求項１２】
前記ＴＡ情報を受信するための手段は、前記無線通信装置が現在通信しているソース基地局に要求された通信ギャップ中に動作する、請求項９に記載の装置。
【発明の詳細な説明】
【技術分野】
【０００１】
関連出願の相互参照
本出願は、２００７年３月１７日に出願された「ＯＰＴＩＭＩＺＥＤ  ＦＯＲＷＡＲＤ  ＨＡＮＤＯＶＥＲ  ＰＲＯＣＥＤＵＲＥ  ＦＯＲ  ＬＴＥ」と題する米国仮特許出願第６０／８９５，４４９号の利益を主張する。上述の出願の全体は参照により本明細書に組み込まれる。
【０００２】
以下の説明は、一般に、無線通信に関し、より詳細には、無線通信ネットワークにおけるハンドオーバに関する。
【背景技術】
【０００３】
無線通信システムは、たとえば音声、データなど様々なタイプの通信コンテンツを提供するために広く展開されている。代表的な無線通信システムは、使用可能なシステムリソース（たとえば帯域幅、送信電力、．．．）を共有することによって複数のユーザとの通信をサポートできる多元接続システムとすることができる。そのような多元接続システムの例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどが挙げられる。さらに、これらのシステムは、たとえば第３世代共同プロジェクト（３ＧＰＰ）、３ＧＰＰロングタームエボリューション（ＬＴＥ）などの規格に準拠することができる
一般に、無線多元接続通信システムは、複数の移動デバイスのための通信を同時にサポートすることができる。各移動デバイスは、順方向リンクおよび逆方向リンク上の伝送を介して１つまたは複数の基地局と通信することができる。順方向リンク（またはダウンリンク）は基地局から移動デバイスへの通信リンクを意味し、逆方向リンク（またはアップリンク）は移動デバイスから基地局への通信リンクを意味する。さらに、移動デバイスと基地局との間の通信は、１入力１出力（ＳＩＳＯ）システム、多入力１出力（ＭＩＳＯ）システム、多入力多出力（ＭＩＭＯ）システムなどを介して確立できる。さらに、移動デバイスはピアツーピア無線ネットワーク構成で他の移動デバイスと（および／または基地局が他の基地局と）通信することができる。
【０００４】
ＭＩＭＯシステムは、通常、データ伝送用に複数（ＮＴ個）の送信アンテナおよび複数（ＮＲ個）の受信アンテナを使用する。これらのアンテナは、一例では、基地局と移動デバイスの両方に関連し、無線ネットワーク上のデバイス間の双方向通信を可能にする。移動デバイスがサービスエリア全体にわたって移動するとき、デバイスの通信を１つまたは複数の基地局間でハンドオーバすることができる。たとえば、利用可能な基地局が、移動デバイスと現在通信している基地局よりも良好な信号またはサービスを提供することができる場合、デバイスをその利用可能な基地局にハンドオーバすることができる。これは、通常、リソースを要求およびスケジュールするためにランダムアクセスチャネル（ＲＡＣＨ）を使用することによって達成される。しかしながら、ＲＡＣＨは、アクティブな通信ネットワークにおいて過度に利用されることがある。
【発明の概要】
【０００５】
以下で、１つまたは複数の実施形態の基本的な理解を与えるために、そのような実施形態の簡略化された概要を提示する。この概要は、企図されるすべての実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００６】
１つまたは複数の実施形態およびその対応する開示によれば、スケジューリング要求チャネル、セル無線ネットワーク一時識別子（Ｃ−ＲＮＴＩ）、チャネル品質インジケータ（ＣＱＩ）リソースなどの情報を、少なくとも部分的に、１つまたは複数のターゲットアクセスポイントに要求するか、あるいは他の形でそれらのターゲットアクセスポイントから取得することによって無線通信ネットワークにおける通信のハンドオーバを可能にすることに関して、様々な態様について説明する。これらのリソースを使用して、アクセス端末は、通信をハンドオーバするのに望ましいアクセスポイントを見つけ出し、ハンドオーバすることが有利なときにハンドオーバを実施することができる。さらに、アクセス端末は、ランダムアクセスチャネル（ＲＡＣＨ）を使用せずにハンドオーバすることができるように、アクセスポイントに関するタイミングアドバンス（ＴＡ）の指示または他の同期情報を受信することができる。
【０００７】
関連する諸態様によれば、無線ネットワークにおいて通信をハンドオーバするための方法が提供される。本方法は、ソース基地局から無線通信サービスを受信することと、複数のターゲット基地局にスケジュール要求信号を送信するための複数の割当てアップリンク制御チャネルを受信することとを含むことができる。本方法は、割当てアップリンク制御チャネルのうちの少なくとも１つを介して複数のターゲット基地局のうちの選択されたターゲット基地局にスケジューリング要求を送信することをさらに含むことができる。
【０００８】
別の態様は、無線通信装置に関する。無線通信装置は、複数の基地局のタイミングをモニタし、少なくとも部分的にモニタされたタイミングに基づいて通信のハンドオーバのために複数の基地局のうちのターゲット基地局を選択するように構成された少なくとも１つのプロセッサを含むことができる。無線通信装置はまた、少なくとも１つのプロセッサに結合されたメモリを含むことができる。
【０００９】
さらに別の態様は、無線ネットワークにおいて通信をハンドオーバするための無線通信装置に関する。無線通信装置は、ソース基地局から無線通信サービスを受信するための手段と、複数のターゲット基地局にスケジュール要求信号を送信するための複数の割当てアップリンク制御チャネルを受信するための手段とを含むことができる。無線通信装置は、割当てアップリンク制御チャネルのうちの少なくとも１つを介して複数のターゲット基地局のうちの選択されたターゲット基地局にスケジューリング要求を送信するための手段をさらに含むことができる。
【００１０】
さらに別の態様は、ソース基地局から無線通信サービスを受信することを少なくとも１つのコンピュータに行わせるコードを含むコンピュータ可読媒体を有することができるコンピュータプログラム製品に関する。コンピュータ可読媒体は、複数のターゲット基地局にスケジュール要求信号を送信するための複数の割当てアップリンク制御チャネルを受信することを少なくとも１つのコンピュータを行わせるコードをさらに備えることができる。さらに、コンピュータ可読媒体は、割当てアップリンク制御チャネルのうちの少なくとも１つを介して複数のターゲット基地局のうちの選択されたターゲット基地局にスケジューリング要求を送信することを少なくとも１つのコンピュータに行わせるためのコードを含むことができる。
【００１１】
上記および関連する目的を達成するために、１つまたは複数の実施形態は、以下で十分に説明し、特に特許請求の範囲で指摘する特徴を備える。以下の説明および添付の図面は、１つまたは複数の実施形態のいくつかの例示的な態様を詳細に記述する。ただし、これらの態様は、様々な実施形態の原理を使用できる様々な方法のほんのいくつかを示すものであり、説明する実施形態は、すべてのそのような態様およびそれらの均等物を含むものとする。
【図面の簡単な説明】
【００１２】
【図１】図１は、ここに記載の様々な態様による無線通信システムを示す図である。
【図２】図２は、無線通信環境内で使用するための例示的な通信装置を示す図である。
【図３】図３は、ターゲットリソースを使用して通信のハンドオーバを実施する例示的な無線通信システムを示す図である。
【図４】図４は、移動デバイスがセクタ間を移動している、例示的な無線通信ネットワークを示す図である。
【図５】図５は、ターゲットリソースに基づいてハンドオーバを要求することを可能にする例示的な方法を示す図である。
【図６】図６は、ソース基地局に通信ギャップを要求することを可能にする例示的な方法を示す図である。
【図７】図７は、ハンドオーバを可能にするためにターゲット基地局とのスケジューリングを要求することを可能にする例示的な移動デバイスを示す図である。
【図８】図８は、通信をハンドオーバするためのリソースを提供することを可能にする例示的なシステムを示す図である。
【図９】図９は、ここで説明する様々なシステムおよび方法とともに使用できる例示的な無線ネットワーク環境を示す図である。
【図１０】図１０は、移動デバイス通信をハンドオーバするためのターゲット通信リソースをモニタする例示的なシステムを示す図である。
【詳細な説明】
【００１３】
次に、図面を参照しながら様々な実施形態について説明するが、全体にわたって同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施できることは明らかであろう。他の例では、１つまたは複数の実施形態の説明を円滑にするために、よく知られた構造およびデバイスはブロック図の形態で示す。
【００１４】
本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行ファイル、実行スレッド、プログラム、および／またはコンピュータとすることができるが、これらに限定されない。例として、コンピューティングデバイスで実行されるアプリケーションとそのコンピューティングデバイスの両方を構成要素とすることができる。１つまたは複数の構成要素はプロセスおよび／または実行スレッド内に常駐することができ、構成要素は、１つのコンピュータ上に局在化させ、および／または２つ以上のコンピュータ間に分散させることができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
【００１５】
さらに、様々な実施形態について、移動デバイスに関してここで説明する。移動デバイスは、システム、加入者ユニット、加入者局、移動局、移動体、リモート局、リモート端末、アクセス端末、ユーザ端末、端末、無線通信デバイス、ユーザエージェント、ユーザデバイス、またはユーザ機器（ＵＥ）とも呼ばれる。移動デバイスは、セルラ電話、コードレス電話、セッション開始プロトコル（ＳＩＰ）電話、無線ローカルループ（ＷＬＬ）局、携帯情報端末（ＰＤＡ）、無線接続機能を有するハンドヘルドデバイス、コンピューティングデバイス、または無線モデムに接続される他の処理デバイスとすることができる。さらに、様々な実施形態について、基地局に関してここで説明する。基地局は、（１つまたは複数の）移動デバイスと通信するために利用でき、アクセスポイント、ノードＢ、進化型ノードＢ（ｅノードＢもしくはｅＮＢ）、基地トランシーバ局（ＢＴＳ）または何らかの他の用語で呼ばれることもある。
【００１６】
さらに、ここで説明する様々な態様または特徴は、標準のプログラミングおよび／またはエンジニアリング技法を使用した方法、装置、または製造品として実装できる。ここで使用する「製造品」という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピー（登録商標）ディスク、磁気ストリップなど）、光ディスク（たとえば、コンパクトディスク（ＣＤ）、デジタル多目的ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、ここで説明する様々な記憶媒体は、情報を記憶するための１つまたは複数のデバイスおよび／または他の機械可読媒体を表すことができる。「機械可読媒体」という用語は、無線チャネル、ならびに（１つまたは複数の）命令および／またはデータを記憶、含有、および／または搬送することが可能な様々な他の媒体を含むことができるが、これらに限定されない。
【００１７】
ここで説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数領域多重（ＳＣ−ＦＤＭＡ）および他のシステムなど様々な無線通信システムに対して使用できる。「システム」および「ネットワーク」という用語は、しばしば互換的に使用される。ＣＤＭＡシステムは、汎用地上無線アクセス（ＵＴＲＡ）、ＣＤＭＡ２０００などの無線技術を実装することができる。ＵＴＲＡは広帯域ＣＤＭＡ（Ｗ−ＣＤＭＡ）およびＣＤＭＡの他の変形態を含む。ＣＤＭＡ２０００は、ＩＳ−２０００、ＩＳ−９５およびＩＳ−８５６規格をカバーする。ＴＤＭＡシステムは、広域移動体通信システム（ＧＳＭ(登録商標)）などの無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡおよびＥ−ＵＴＲＡは汎用移動体通信システム（ＵＭＴＳ）の一部である。３ＧＰＰロングタームエボリューション（ＬＴＥ）は、Ｅ−ＵＴＲＡを使用するＵＭＴＳの今度のリリースであり、これは、ダウンリンク上ではＯＦＤＭＡを使用し、アップリンク上ではＳＣ−ＦＤＭＡを使用する。ＵＴＲＡ、Ｅ−ＵＴＲＡ、ＵＭＴＳ、ＬＴＥおよびＧＳＭ(登録商標)は「第３世代パートナーシッププロジェクト」（３ＧＰＰ）という名称の組織の文書に記載されている。ＣＤＭＡ２０００およびＵＭＢは「第３世代パートナーシッププロジェクト２」（３ＧＰＰ２）という名称の組織の文書に記載されている。
【００１８】
次に図１を参照すると、ここで提示する様々な実施形態による無線通信システム１００が示されている。システム１００は、複数のアンテナグループを含むことができる基地局１０２を備える。たとえば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナを利用することができる。基地局１０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００１９】
基地局１０２は、１つまたは複数の移動デバイス、たとえば移動デバイス１１６および移動デバイス１２２と通信することができるが、基地局１０２は、移動デバイス１１６および１２２と同様の実質的にいかなる数の移動デバイスとも通信することができることを諒解されたい。移動デバイス１１６および１２２は、たとえば、セルラ電話、スマートフォン、ラップトップ、ハンドヘルド通信デバイス、ハンドヘルドコンピューティングデバイス、衛星ラジオ、全地球測位システム、ＰＤＡ、および／または無線通信システム１００を介して通信するための他の適切なデバイスとすることができる。図示のように、移動デバイス１１６はアンテナ１１２および１１４と通信しており、アンテナ１１２および１１４は、順方向リンク１１８を介して情報を移動デバイス１１６に送信し、逆方向リンク１２０を介して情報を移動デバイス１１６から受信する。さらに、移動デバイス１２２はアンテナ１０４および１０６と通信しており、アンテナ１０４および１０６は、順方向リンク１２４を介して情報を移動デバイス１２２に送信し、逆方向リンク１２６を介して情報を移動デバイス１２２から受信する。周波数分割複信（ＦＤＤ）システムでは、たとえば、順方向リンク１１８は、逆方向リンク１２０によって使用される周波数帯とは異なる周波数帯を利用することができ、順方向リンク１２４は、逆方向リンク１２６によって使用される周波数帯とは異なる周波数帯を使用することができる。さらに、時分割複信（ＴＤＤ）システムでは、順方向リンク１１８および逆方向リンク１２０は共通の周波数帯を利用することができ、順方向リンク１２４および逆方向リンク１２６は共通の周波数帯を利用することができる。
【００２０】
アンテナの各グループおよび／またはそれらが通信するように指定されたエリアは、基地局１０２のセクタと呼ぶことができる。たとえば、基地局１０２によってカバーされるエリアのセクタ内の移動デバイスと通信するようにアンテナグループを設計することができる。順方向リンク１１８および１２４を介した通信では、基地局１０２の送信アンテナは、移動デバイス１１６および１２２についての順方向リンク１１８および１２４の信号対雑音比を向上させるためにビームフォーミングを利用することができる。さらに、基地局１０２が、関連するカバレージ中に不規則に散在する移動デバイス１１６および１２２に送信するためにビームフォーミングを利用する間、基地局が単一のアンテナを介してその基地局のすべての移動デバイスに送信する場合と比較して、隣接セル内の移動デバイスは干渉を受けにくい。さらに、移動デバイス１１６および１２２は、図示のようにピアツーピアまたはアドホック技術を使用して互いに直接通信することができる。
【００２１】
一例によれば、システム１００は多入力多出力（ＭＩＭＯ）通信システムとすることができる。さらに、システム１００は、ＦＤＤ、ＴＤＤなど、通信チャネル（たとえば順方向リンク、逆方向リンク、．．．）を分割する実質的にどんなタイプの複信技法をも利用することができる。通信チャネルは１つまたは複数の論理チャネルを備えることができる。そのような論理チャネルは、種々のタイプのデータを移動デバイス１１６および１２２と基地局１０２との間で（あるいは、たとえばピアツーピア構成で移動デバイス１１６から移動デバイス１２２に）送信するために与えられる。そのようなチャネルは、制御データ、正規の共有データ（たとえば通信データ）、ランダムアクセスデータ、ビーコン／パイロットデータ、ブロードキャストデータなどを送信するために存在する。たとえば、基地局１０２は、基地局のリソースにアクセスするために移動デバイス１１６および１２２によって利用される共有データチャネルを確立することができ、さらに、基地局１０２は、たとえば、共有データチャネルに関連する制御情報を送信するための専用制御チャネルを有することができる。
【００２２】
これらのチャネルを介した通信は、移動デバイス１１６および１２２が衝突を防ぐために所与のチャネル上で異なる時間に送信するように、（たとえば、ＯＦＤＭ、ＳＣ−ＦＤＭなどを使用して）直交とすることができる。直交通信を可能にするために、これらのチャネルを介した送信に関してタイミングアドバンス（ＴＡ）を移動デバイス１１６および１２２に与えることができる。タイミングアドバンスは、所与の移動デバイスが通信可能になる前の待機時間、またはデバイスがチャネル上で通信すべき期間などを指定することができる。さらに、データを送信するタイミングのエラーを調整する巡回プレフィックスを用いて、そのデータを通信することができる。たとえば、巡回プレフィックスは、タイミングエラーによりシンボルの一部が受信されない場合にシンボル送信の開始または終了において再送信されるチャネル上で送信される１つまたは複数のシンボルの一部とすることができる。所与のチャネルに対して、巡回プレフィックスは、さらなるタイミングエラーを許容するように変化することができる（これは、たとえば、チャネルに対する接続のタイプ、要求、および／または方法に依存する）。一例では、新しいデバイスからチャネルリソースを得るために利用されるチャネルは、そのチャネルのタイミングがデバイスに対して確実ではないので、より大きい巡回プレフィックスを有することができる。従来のシステムでは、ランダムアクセスチャネル（ＲＡＣＨ）は、デバイスが、たとえば接続要求またはハンドオーバ要求を送信することができるように、より大きい巡回プレフィックスを有することができる。
【００２３】
一例では、ここで説明する主題では、ハンドオーバされるデバイスが、ハンドオーバを開始する前にターゲット基地局からデータリソースを取得することができるようにすることによって、デバイスを１つの基地局から別の基地局にハンドオーバすることができる。一例では、これは、（１つまたは複数の）ターゲット基地局上のリソースをモニタするためにサウンディング基準信号（ＳＲＳ）などを送信することによって、ＴＡ、セル無線ネットワーク一時識別子（Ｃ−ＲＮＴＩ）、チャネル品質インジケータ（ＣＱＩ）情報などの半静的情報を（１つまたは複数の）ターゲット基地局に要求することによって可能になる。この情報を使用して、デバイスは、通信を（１つまたは複数の）ターゲット基地局にハンドオーバするための、（１つまたは複数の）ターゲット基地局によって利用されるタイミングアドバンスなど、タイミング情報を求めることができる。デバイスは、（１つまたは複数の）ターゲット基地局の少なくとも１つの十分な範囲内に移動した後、タイミング調整を使用してスケジューリング要求チャネルを介してその少なくとも１つのターゲット基地局にデータリソースを要求することができる。その後、データリソースを受信すると、通信をハンドオーバすることができる。データリソース要求に関連するタイミングエラーがある限り、他の送信時間間隔（ＴＴＩ）よりも長い巡回プレフィックス（ＣＰ）をもつＴＴＩを戦略的に利用することは、一例では、そのエラーを相殺することに役立つ。代替として、一例では、実質的にすべてのＣＰを、タイミングエラーを相殺できるほど十分長くすることができる。
【００２４】
図２を参照すると、無線通信環境内で使用するための通信装置２００が示されている。通信装置２００は、基地局もしくはその一部分、移動デバイスもしくはその一部分、または無線通信環境中で送信されたデータを受信する実質的にどんな通信装置であってもよい。通信装置２００は、異なる通信装置に関するデータを得ることができるターゲット情報受信機２０２と、異なるデバイスからの通信をハンドオーバするためにターゲット通信装置にリソースを要求することができるターゲットリソースリクエスタ２０４と、ターゲット通信装置と通信するためのタイミングを補正することができるタイミング調整器２０６とを含むことができる。
【００２５】
一例によれば、ターゲット情報受信機２０２は、１つまたは複数の異なる通信装置（図示せず）に関する要求データを受信することができる。たとえば、通信装置２００は移動デバイスとすることができ、異なる通信装置は、移動デバイスを異なる通信装置間でハンドオーバすることができるようにデバイスへのデータアクセスを提供することができるハンドオーバは、少なくとも部分的に、たとえば信号品質、装置によって提供されるサービスなどに基づくことができる。受信される情報は、ＴＡ、Ｃ−ＲＮＴＩ、ＣＱＩ情報など、異なる通信装置に関する半静的情報に関連し、装置にＳＲＳを送信することに応答して受信することができる。通信装置２００は、少なくとも部分的にその情報に基づいて通信をハンドオーバするためのより好適な通信装置を決定することができる。通信装置２００は候補ターゲット通信装置に関するこの情報を維持し、モニタすることができることを諒解されたい。一例では、その情報は、ターゲット通信装置から、またはソース通信装置を通ってダウンリンク制御またはデータチャネルを介して受信できる。さらに、ターゲット通信装置に対するスケジュール要求チャネルを、ターゲット通信装置によって、無線で、またはソース通信装置を通じて（たとえばバックホールリンクを介して）通信装置２００に割り当てることができる。
【００２６】
通信装置２００の通信のハンドオーバは、一例では、ターゲット通信装置の信号強度が、通信装置２００が現在通信しているソース通信装置（図示せず）の信号強度を超えるか、またはそれに十分近い場合に発生する。ハンドオーバを行う決定がなされると、通信装置２００は、（上述のように）受信された情報を使用して、ソース通信装置と実質的に同様の（またはほぼ同様の）ＴＡを有するターゲット通信装置のうちの１つまたは複数を検出することができ、ターゲットリソースリクエスタ２０４を利用して、既知のＴＡを使用してターゲット通信装置のアップリンク（ＵＬ）スケジュール要求チャネル上のＵＬリソースを直接要求することができる。この点について、通信装置２００は受信情報からＴＡを知っているので、ＲＡＣＨを避けることができる。
【００２７】
その後、タイミング調整器２０６を利用して、必要な場合、ターゲット通信装置と通信するときに通信装置２００によって利用されるタイミングの微調整を行うことができる。一例では、上述のように、通信装置２００は、より長いＣＰを利用することができるＴＴＩ中に通信をターゲット通信装置にハンドオーバするように戦略的に選択することができる。たとえば、ターゲット通信装置は、そのようなＴＴＩを、周期的に、パターンに従って、所望のハンドオーバなどに基づいて提供することができる。より長いＣＰは最初のエラーを相殺することができる。すなわち、ターゲット通信装置から後続の通信を受信すると、タイミング調整器２０６はターゲット通信装置とのタイミングの同期をとることができる。通信中のエラーを相殺するために追加または代替の機構が使用できることを諒解されたい。たとえば、通信装置２００は、最初にハンドオーバを行うためにハイブリッド自動再送要求（ＨＡＲＱ）通信を使用することができる。少なくとも部分的に非同期無線通信ネットワークにおけるダウンリンクタイミング差に基づいてＴＡが求められる場合、これらの技法は最も有用であることを諒解されたい。
【００２８】
別の例では、通信装置２００は、ターゲット情報受信機２０２によってターゲット通信装置に関連付けられた情報を最初に受信するために、基準信号をターゲット通信装置に送信することができる。この点について、ソース通信装置が通信装置２００から通信を受信しないことを予想できる場合、通信装置２００（または図示されていないその構成要素）はソース通信装置に通信ギャップを要求することができる。これらのギャップ中、通信装置２００は、その後上述のようにハンドオーバ中に使用できるターゲット通信装置に基準信号を送信し、および／またはターゲット通信装置からリソースを受信することができる。
【００２９】
次に図３を参照すると、移動デバイスハンドオーバにおいてデータリソースの同期をとるためにターゲット基地局リソースを利用することができる無線通信システム３００が示されている。システム３００は、無線通信サービスのハンドオーバを可能にするために移動デバイス３０４（および／または任意の数の異なる移動デバイス（図示せず））と通信することができるターゲット基地局３０２を含む。移動デバイス３０４はまた、現在の無線通信サービスのためにソース基地局３０６と通信中とすることができる。基地局３０２および３０６は、順方向リンクチャネルを介して移動デバイス３０４に情報を送信することができ、さらに、基地局３０２および３０６は、逆方向リンクまたはアップリンクチャネルを介して移動デバイス３０４から情報を受信することができる。さらに、移動デバイス３０４は、特定の時点で通信をソース基地局３０６からターゲット基地局３０２にハンドオーバするように所望することができる。さらに、システム３００はＭＩＭＯシステムとすることができる。さらに、システム３００は、ＯＦＤＭＡまたはＳＣ−ＦＤＭＡ無線ネットワーク（たとえば、３ＧＰＰ、３ＧＰＰ  ＬＴＥなど）において動作することができる。また、基地局３０２および３０６中の以下で図示し説明する構成要素および機能は、一例では、互いにおよび／または移動デバイス３０４中にも存在することができ、その逆もまた同様である。図示の構成では、説明を容易にするためにこれらの構成要素を除外してある。
【００３０】
ターゲット基地局３０２は、通信ハンドオーバを求めている１つまたは複数の移動デバイスに制御リソースを提供することができる制御リソース割当て器３０８と、１つまたは複数の移動デバイスから通信をハンドオーバする要求を取得することができるハンドオーバ要求受信機３１０と、ハンドオーバ手続きを完了するために１つまたは複数の移動デバイスへのデータチャネルアクセスを提供することができるデータリソーススケジューラ３１２とを含む。たとえば、移動デバイス３０４などの移動デバイスは、ターゲット基地局３０２のタイミングを維持するためのＳＲＳなどを送信するなどして制御リソースまたはタイミング情報を要求することができ、制御リソース割当て器３０８は、ターゲット基地局３０２に対するスケジューリング要求リソースを移動デバイス３０４に割り当てることができる。デバイスはハンドオーバを所望し、ハンドオーバ要求受信機３１０は通信のハンドオーバの要求を受信することができる。一例（たとえば、ダウンリンクチャネルとのタイミング差を検出する非同期無線ネットワーク）では、完全に正確なタイミングを伴わずに要求を送信することができ、前述のようにエラーを相殺するための方策（たとえば、より長いＣＰ  ＴＴＩ、ＨＡＲＱ送信など）を使用することができる。データリソーススケジューラ３１２は、データ通信チャネルをスケジュールし、ＲＡＣＨを使用せずに無線通信のハンドオーバを完了するためのデータ通信チャネルをデバイスに提供することができる。
【００３１】
移動デバイス３０４は、移動デバイス３０４が基地局に通信を送信していない時間間隔を基地局に提供することができるギャップリクエスタ３１４と、基地局のタイミングをモニタするために利用される半静的情報を含むことができる、ターゲット基地局に関連する情報を要求／受信することができるターゲット情報受信機３１６とを含む。移動デバイスはまた、最適なハンドオーバ時間が決定されたときにターゲット基地局とのハンドオーバを要求することができるターゲットリソースリクエスタ３１８を含むことができる。さらに、移動デバイス３０４は、無線通信サービスを可能にするためにソース基地局３０６に接続できる。
【００３２】
一例によれば、移動デバイス３０４は、ソース基地局３０６によってホストされるセクタ全体にわたって移動中とすることができる。移動デバイス３０４は、近くにある追加の基地局の検出を開始することができ、それらの基地局への後続のハンドオーバのためにそれらの基地局に情報を要求するよう所望することができる。したがって、移動デバイス３０４は、ギャップリクエスタ３１４を利用してソース基地局３０６との通信ギャップを要求することができ、その通信ギャップ中に、移動デバイス３０４は、ターゲット基地局３０２など１つまたは複数の異なる基地局との間でデータの送信および受信を行うことを予想する。これらのギャップ中、一例では、移動デバイス３０４は、１つまたは複数の基地局からタイミングなどに関する情報を取得するためにＳＲＳを送信することができる。そのようなギャップおよび要求は必須ではないことを諒解されたい。これは、ターゲット基地局３０２から情報を取得する１つの可能な例にすぎない。
【００３３】
一例では、ターゲット基地局３０２は、制御リソース割当て器３０８を利用して、ターゲット基地局３０２とのスケジュール要求ＵＬチャネルを確立することができる。さらに、移動デバイス３０４はターゲット基地局３０２にＳＲＳを送信することができ、ターゲット情報受信機３１６は、送信された情報を取得し、ターゲット基地局３０２のタイミングの同期をとるためにターゲット基地局３０２を継続的にモニタすることができる。一例では、ターゲット情報受信機３１６は、送信されたＳＲＳに対する応答を取得して、ＴＡまたは他のタイミング情報に関する情報を求めることができる。さらに、移動デバイス３０４は、後続のハンドオーバを可能にするために、少なくとも部分的に受信情報またはリソースに基づいて基地局３０２との同期をとることができる。別の例では、巡回プレフィックスがサービング基地局とターゲット基地局との間の伝搬時間の差によるタイミング差に対処することができるように、ネットワークは、複数の基地局に対して同期し、アップリンクタイミングを維持することができる。追加または代替として、同期無線ネットワークでは、タイミング検出が不要になるように、ターゲット基地局およびソース基地局に対してタイミングを実質的に同じにすることができる。これは１つまたは複数の基地局上で起こり得るので、移動デバイス３０４は、通信をハンドオーバするために最も望ましい基地局を決定するために利用できる一連の基地局情報を有することができることを諒解されたい。ハンドオーバ用に選択される基地局は、ハンドオーバのために通信が著しく同期するように、ソース基地局３０６のＴＡに最も近いＴＡに基づくことができる。一例では、ターゲット基地局３０２によって送信されたリソース用のスクランブリングコードを識別し、そのコードをソース基地局３０６用のスクランブリングコードと比較することによって、ＴＡを求め、比較することができる。
【００３４】
移動デバイス３０４は、ソース基地局３０６のセクタ全体にわたって移動するとき、ターゲット基地局３０２により近い範囲内に移動することができ、ターゲット基地局３０２へのハンドオーバが有益であることを検出することができる。これは、少なくとも部分的に、信号強度、ターゲット基地局３０２によって提供される所望のリソースまたはサービスなどに基づくことができる。ターゲットリソースリクエスタ３１８は、ターゲット基地局３０２をモニタすることから推論されるタイミングパラメータ（またはＴＡ）を使用して割当てスケジュール要求リソースによってターゲット基地局３０２に最初のハンドオーバメッセージを送信することができる。したがって、リソースを要求する前にタイミングを調整するためのＲＡＣＨは不要である。上述のように、小さいタイミングエラーを相殺するために最初のハンドオーバメッセージとともに追加の機構（たとえば、戦略的により長いＣＰをもつＴＴＩ、ＨＡＲＱ送信など）を利用することができることを諒解されたい。
【００３５】
一例では、ターゲット基地局３０２は、移動デバイス３０４からの最初のハンドオーバ送信のタイミングのより大きいエラーを補正するために、所与の時間間隔で異なるサイズの巡回プレフィックスを利用することができる。これは、ターゲット基地局３０２などに固有のネットワーク仕様とすることができる。巡回プレフィックスサイズに関する情報は、そのような情報を（たとえばブロードキャストチャネル上で）ブロードキャストすることなどを含めて、移動デバイス３０４に送信できることを諒解されたい。たとえば、その情報は、短いおよび／または長い巡回プレフィックスを有するフレームまたはＴＴＩのリストなどにフォーマットできる。別の例では、その情報は、最初の長い巡回プレフィックスＴＴＩに対する現在または最初のフレームからのオフセットを備えることができる。さらに、ターゲット基地局３０２は巡回プレフィックスを特にハンドオーバ用に動的に構成することができる。この情報を使用して、移動デバイス３０４は、ターゲット基地局３０２へのハンドオーバを行い、長い巡回プレフィックスＴＴＩ中に最初のデータを送信して、通信の成功（したがってハンドオーバの成功）の可能性をより高めることができる。最初の通信が送信された後、データリソーススケジューラ３１２は、共有データチャネルアクセスをスケジュールし、その共有データチャネルアクセスを移動デバイス３０４に返して、無線通信サービスを可能にし、ソース基地局３０６からのハンドオーバを完了することができる。この時点で、ターゲット基地局３０２にデータを送信するために利用されるタイミングの同期をより正確にとることができる。
【００３６】
次に図４を参照すると、例示的な多元接続無線通信ネットワーク４００が示されている。ネットワーク４００は複数の通信セル４０２、４０４および４０６を含み、各通信セルは、様々なデバイスからの通信をサポートするための複数のアンテナをもつそれぞれの基地局４０８、４１０および４１２を有する。たとえば、セルセクタ４０２中にあるデバイス４１４および４１６は基地局４０８と通信し、最初はセクタ４０４中にあるデバイス４１８および４２０は基地局４１０と通信し、セクタ４０６中にあるデバイス４２２および４２４は基地局４１２と通信することができる。この例では、デバイス４２０はネットワーク４００全体にわたって移動中とすることができる。デバイス４２０が基地局４１０から遠ざかるにつれて、信号は弱まり、基地局４１０と通信するために必要なリソースが増加する。デバイス４２０が基地局４１２に向かって移動するにつれて、ある地点で、代わりにセクタ４０６中の基地局４１２と通信することが有利になる。このようにして、デバイス４２０をセクタ４０４からセクタ４０６に（したがって基地局４１０から基地局４１２に）ハンドオーバすることができる。
【００３７】
上述のように、移動デバイス４２０は、それがハンドオーバを実施することができるセル（たとえば、セル４０８および４１２）のリストを維持し、モニタすることができる。たとえば、移動デバイス４２０は、セルからＴＡ情報などを得るために最初にセルにＳＲＳを送信することができる。別の例では、これは、セル４０８および／または４１２用のスクランブリングコードを分析し、それを現在のセル４１０のスクランブリングコードと比較することによって求めることができる。別の例では、移動デバイス４２０は、少なくとも部分的にＳＲＳの一部として受信されたモニタされたセル情報に基づいて、現在のセル４１０とセル４０８および／または４１２との間のタイミング差を計算することができる。追加または代替として、移動デバイス４２０は、許可されたリソースによってセル４０８および４１２との同期タイミングを維持することができる。移動デバイス４２０は、異なるセル４１２の範囲内に十分あるとき、タイミング差を調整するためにＴＡを使用して割当てスケジュール要求チャネルを介してデータリソースの要求を送信することができる。タイミングは正確でない場合があるが、いくつかの例では、送信を適切に復号するための技術が利用できるほど、タイミングを概して十分厳密にすることができる。一例では、基地局４１２は、拡張巡回プレフィックスをもつＴＴＩを利用することができ、移動デバイス４２０は、これらのＴＴＩを活用して最初のハンドオーバ情報を送信することができる。
【００３８】
しかし、巡回プレフィックスを拡張することはスループットに悪影響を及ぼすことがある。したがって、一例では、いくつかのＴＴＩのみが拡張巡回プレフィックスを有することができ、この情報は、上述のように（たとえば、拡張巡回プレフィックスの特定の時間などのＴＴＩ、オフセットをもつもしくはもたないパターン、および／または特定の発生に関する情報をブロードキャストすることによって）移動デバイス４０２が知ることができる。さらに、一例では、ハンドオーバについて知ったときに、拡張巡回プレフィックスを有するＴＴＩを特別に（たとえば、動的に）実装することができる。また、ＨＡＲＱ送信を使用して、最初の（および／または後続の）ハンドオーバ通信の信頼性を改善することができる。最初の通信の後、基地局４１２との信頼できる後続の通信を保証するために、より正確なタイミング情報を移動デバイス４２０が受信し、利用することができることを諒解されたい。この点について、ハンドオーバはＲＡＣＨを使用せずに実施される。
【００３９】
図５〜図６を参照すると、（たとえばＲＡＣＨの代わりに）ターゲットのリソースをモニタすることによって通信をハンドオーバすることに関する方法が示されている。説明を簡潔にする目的で、方法を一連の行為として図示し説明するが、いくつかの行為は、１つまたは複数の実施形態によれば、ここで図示し説明する順序とは異なる順序で、および／または他の行為と同時に行われるので、方法は行為の順序によって限定されないことを理解し、諒解されたい。たとえば、方法は、状態図など、一連の相互に関連する状態またはイベントとして代替的に表現できることを当業者なら理解し、諒解するであろう。さらに、１つまたは複数の実施形態による方法を実施するために、図示のすべての行為が必要とされるわけではない。
【００４０】
図５を参照すると、受信されたターゲットリソースまたは他の情報に基づいて時間同期要求によってハンドオーバを要求することを可能にする方法５００が示されている。５０２において、ターゲットから半静的情報を受信する。たとえば、これは、上述のようにＴＡ、またはターゲットとソースとの間のＴＡの差を求めるために分析できるＳＲＳの送信からの応答に関連する。その情報は追加または代替としてＣ−ＲＮＴＩを含むことができる。この情報を使用して、ターゲットに関連するセル中への接続エントリが起こる。５０４において、上述のターゲットについてＴＡを求める。ＴＡは、ターゲットのＴＡをソースのＴＡと比較することによって、あるいはＴＡ間の間隔を計算し、その差を使用して最初のハンドオーバメッセージの同期をとることによって、ターゲットとの通信の同期をとるのを助けることができる。
【００４１】
５０６において、ＴＡに基づいてターゲットにハンドオーバを要求することができる。これは、上述の機構を使用してタイミング差を求めるか、あるいはソースと同様のＴＡを有するターゲットを選択することによって実行できる。さらに、この比較または計算ではターゲットとの完全に正確な同期が生じないことがあるので、通信の成功の可能性を高める方策をとることができる。これは、上述のように、より長い巡回プレフィックスをもつＴＴＩ、ＨＡＲＱ送信などを使用することを含む。一例では、割当てスケジュール要求チャネル、またはターゲット基地局に関連する他の制御チャネルを介して、ハンドオーバまたはスケジューリング要求を送信することができる。５０８において、データリソース割当てを受信し、ターゲットとの通信サービスが可能になる。この割当てが受信された後、ターゲットとの同期通信を可能にするような、より正確なタイミング情報が受信されることを諒解されたい。
【００４２】
次に図６を参照すると、ハンドオーバの前に取得されたターゲットリソースを使用して、ソースアクセスポイントとターゲットアクセスポイントとの間で通信をハンドオーバすることを可能にする方法６００が示されている。６０２において、ソースに通信ギャップを要求する。たとえば、ソースと通信しているとき、ギャップ中にソースとの通信が生じないようにギャップを要求することができる。６０４において、ギャップ中にターゲットとのスケジュール要求チャネルを確立することができる。このようにして、ソースとの通信が行われていないとき、チャネルを確立するためにターゲットに連絡をとることができる。一例では、ギャップ中にスケジュール要求チャネルを確立するために、そのギャップ中にサウンディング基準信号をターゲットに送信することができる。
【００４３】
６０６において、ターゲット基地局上でＳＲＳ情報を受信することができる。応答して、ターゲット基地局は、無線によって、および／またはソース基地局などを介して、ＵＥにＴＡを提供することができる。上述のように、ＳＲＳ情報は、ソースとターゲットのＴＡ差または比較を求めるためなどに利用できる。さらに、ターゲットのＣ−ＲＮＴＩおよびタイミングを有することより、６０８においてＲＡＣＨを使用することなく最初に通信をハンドオーバすることができるようなＣ−ＲＮＴＩを受信することができる。ハンドオーバが行われた後、より正確なタイミング情報を受信することができることを諒解されたい。
【００４４】
ここで説明する１つまたは複数の態様によれば、上述のように移動デバイスについて通信をソース基地局からターゲット基地局にハンドオーバすること関して推測がなされることを諒解されたい。ここで使用する「推測する」または「推測」という用語は、概して、イベントおよび／またはデータを介して捕捉された観測のセットから、システム、環境、および／またはユーザの状態について推理または推測するプロセスを指す。推測は、特定のコンテキストまたは動作を識別するために使用でき、または、たとえば状態に関する確率分布を生成することができる。推測は確率的になる。すなわち、データおよびイベントの考察に基づく当該の状態に関する確率分布の計算になる。推測はまた、イベントおよび／またはデータの組からより高いレベルのイベントを構成するために使用される技法を指すこともできる。そのような推測は、イベントが時間的に近接して相関するかどうかに関わらず、また、イベントおよびデータが１つまたは複数のイベントおよびデータソースに由来するかどうかに関わらず、観測されたイベントおよび／または保存されたイベントデータの組からの新しいイベントまたは動作の構成をもたらす。
【００４５】
一例によれば、上記で提示した１つまたは複数の方法は、どのデバイスから半静的データを要求すべきかに関する推測を行うこと、ソース基地局に要求すべき通信ギャップを求めること、通信をハンドオーバするためのターゲット基地局を選択することなどを含むことができる。また、ソース基地局とターゲット基地局との間のタイミング差を計算すること、ならびに内部で最初のハンドオーバデータを戦略的に送信するために拡張巡回プレフィックスを使用してＴＴＩを求めることなどに関する推測を行うことができる。
【００４６】
図７は、最初のハンドオーバデータを送信するためにターゲットからの要求情報を利用して通信をハンドオーバすることを可能にする移動デバイス７００の図である。移動デバイス７００は、たとえば受信アンテナ（図示せず）から信号を受信する受信機７０２を備え、受信信号に対して典型的な動作（たとえば、フィルタリング、増幅、ダウンコンバートなど）を行い、サンプルを得るために調整された信号をデジタル化する。受信機７０２は、受信されたシンボルを復調し、チャネル推定のためにプロセッサ７０６に提供することができる復調器７０４を備えることができる。プロセッサ７０６は、受信機７０２によって受信された情報の分析および／または送信機７１８による送信のための情報の生成に専用のプロセッサ、移動デバイス７００の１つまたは複数の構成要素を制御するプロセッサ、および／または受信機７０２によって受信された情報の分析、送信機７１８による送信のための情報の生成、ならびに移動デバイス７００の１つまたは複数の構成要素の制御を行うプロセッサとすることができる。
【００４７】
移動デバイス７００は、さらに、メモリ７０８を備えることができ、メモリ７０８は、プロセッサ７０６に動作可能に結合され、送信すべきデータ、受信されたデータ、使用可能なチャネルに関する情報、分析された信号および／または干渉強度に関連するデータ、割り当てられたチャネル、電力、レートなどに関連する情報、ならびにチャネルを推定し、そのチャネルを介して通信するための他の適切な情報を記憶することができる。メモリ７０８は、さらに（たとえばパフォーマンスベース、容量ベースなどの）チャネルの推定および／または利用に関連するプロトコルおよび／またはアルゴリズムを記憶することができる。
【００４８】
ここで説明するデータストア（たとえばメモリ７０８）は、揮発性メモリもしくは不揮発性メモリとすることができ、または揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲ  ＲＡＭ）など、多くの形態で使用可能である。主題のシステムおよび方法のメモリ７０８は、これらおよび他の適切なタイプのメモリを、これらに限定されることなく、備えるものとする。
【００４９】
プロセッサ７０６は、さらに、ターゲット基地局にスケジューリングリソースを要求することができるスケジュールリクエスタ７１０、ならびに正確なタイミングなどを確保するために１つまたは複数のターゲットとの通信を評価することができるターゲットモニタ７１２に動作可能に結合できる。一例では、移動デバイスは、サービスエリア全体にわたって移動し、通信のハンドオーバについて基地局を評価することができる。これは、スケジュールリクエスタ７１０を使用して基地局とのアップリンクスケジュール要求チャネルを確立することによって開始することができ、移動デバイス７００は、そのアップリンクスケジュール要求チャネルを介して、ＣＱＩリソース、データ送信および受信用のリソースなどのリソースに対する許可を受信することができる。一例では、移動デバイス７００は、後でスケジューリング要求チャネルを介してデータリソースを要求するために利用できる、ターゲット基地局のＴＡを取得するためにＳＲＳを送信することができ、さらに、移動デバイス７００は、信号をサウンディングし、確立を受信するためのソース基地局に通信ギャップを要求する。ターゲットモニタ７１２は、（１つまたは複数の）ターゲット基地局についての現在のタイミング情報を有するために、スケジュール要求チャネル、および／またはそのチャネルに関連して受信されるリソースを継続的にモニタすることができる。
【００５０】
異なる基地局へのハンドオーバが有益であろうと移動デバイス７００が判断したとき（たとえば、関連する信号が所与の閾値に達したとき）、一例では、少なくとも部分的に現在のソース基地局とターゲットとの間のタイミング差に基づいてターゲットモニタ７１２からターゲットを選択することができる。さらに、プロセッサ７０６に結合されたタイミング調整器７１４を利用して、少なくとも部分的にソース基地局とターゲット基地局との間の時間の差に基づいて（たとえば、それらのそれぞれの同期チャネルまたはスクランブリングコードを評価することによって）ターゲット基地局の概して正確なタイミングを求めることができる。タイミング調整器７１４は、求められた調整量を利用して最初のハンドオーバメッセージを送信することができる。前述のように、より正確なタイミング情報を最終的に受信することができるように、最初の通信の信頼性を強化する方策を両端でとることができることを諒解されたい。移動デバイス７００は、またさらに、信号を変調する変調器７１６と、信号を、たとえば基地局、別の移動デバイスなどに送信する送信機７１８とを備える。プロセッサ７０６とは別個のものとして図示されているが、スケジュールリクエスタ７１０、ターゲットモニタ７１２、タイミング調整器７１４、復調器７０４、および／または変調器７１６は、プロセッサ７０６またはマルチプロセッサ（図示せず）の一部とすることができることを諒解されたい。
【００５１】
図８は、移動デバイスハンドオーバのためのリソースおよび拡張ＣＰ  ＴＴＩを許可することを可能にするシステム８００の図である。システム８００は基地局８０２（たとえば、アクセスポイント、．．．）を備え、基地局８０２は、複数の受信アンテナ８０６を介して１つまたは複数の移動デバイス８０４から（１つまたは複数の）信号を受信する受信機８１０と、送信アンテナ８０８を介して１つまたは複数の移動デバイス８０４に送信する送信機８２４とを有する。受信機８１０は、受信アンテナ８０６から情報を受信することができ、受信された情報を復調する復調器８１２に動作可能に連結される。復調されたシンボルは、図７に関して上述したプロセッサと同様とすることができるプロセッサ８１４によって分析され、プロセッサ８１４は、信号（たとえばパイロット）強度および／または干渉強度、（１つまたは複数の）移動デバイス８０４（または異なる基地局（図示せず））に送信されるべきデータまたはそこから受信されるべきデータを推定することに関連する情報、および／または本明細書に記載の様々な動作および機能を行うことに関連する他の適切な情報を記憶するメモリ８１６に結合される。プロセッサ８１４は、さらに、可能な後続のハンドオーバのために１つまたは複数の移動デバイス８０４とのスケジュール要求チャネルを確立することができるスケジュール要求レスポンダ８１８と、ハンドオーバ中の小さいタイミングエラーを相殺することを可能にするためにいくつかのＴＴＩに対してより長いＣＰを指定することができる巡回プレフィックス選択器８２０とに結合される。
【００５２】
たとえば、１つまたは複数の移動デバイス８０４は、ハンドオーバの範囲内にあり、アップリンクスケジュール要求チャネルの確立を要求することができる。スケジュール要求レスポンダ８１８は移動デバイス８０４とのチャネルを確立することができる。移動デバイス８０４は、さらに、基地局８０２にＳＲＳを送信し、基地局８０２は、チャネルを介していくつかのリソースに関する情報（たとえばＴＡ、Ｃ−ＲＮＴＩなど）を送信することができる。さらに、巡回プレフィックス選択器８２０は、スケジュール要求チャネルおよび／またはチャネルを介して受信された情報に基づいて移動デバイス８０４からの最初のハンドオーバ通信におけるタイミングエラーを相殺するために、より長いＣＰを有する１つまたは複数のＴＴＩを確立することができる。たとえば、巡回プレフィックス選択器８２０は、たとえば周期的なＴＴＩ、要求されたＴＴＩ、ハンドオーバの可能性に基づく推測されたＴＴＩなどのために、より長いＣＰを指定することができる。さらに、プロセッサ８１４とは別個のものとして図示されているが、スケジュール要求レスポンダ８１８、巡回プレフィックス選択器８２０、復調器８１２、および／または変調器８２２は、プロセッサ８１４またはマルチプロセッサ（図示せず）の一部とすることができることを諒解されたい。
【００５３】
図９は、例示的な無線通信システム９００を示す。簡潔にするために、無線通信システム９００には、１つの基地局９１０と、１つの移動デバイス９５０とを示してある。ただし、システム９００は２つ以上の基地局および／または２つ以上の移動デバイスを含むことができ、追加の基地局および／または移動デバイスは、以下で説明する例示的な基地局９１０および移動デバイス９５０と実質的に同様または異なるものとすることができることを諒解されたい。さらに、基地局９１０および／または移動デバイス９５０は、それらの間の無線通信を可能にするために、ここで説明するシステム（図１〜図４および図７〜図８）および／または方法（図５〜図６）を使用することができることを諒解されたい。
【００５４】
基地局９１０では、いくつかのデータストリームのトラフィックデータがデータソース９１２から送信（ＴＸ）データプロセッサ９１４に与えられる。一例によれば、各データストリームは、それぞれのアンテナを介して送信できる。ＴＸデータプロセッサ９１４は、トラフィックデータストリーム用に選択された特定の符号化方式に基づいてそのデータストリームをフォーマットし、符号化し、インタリーブして、符号化データを出力する。
【００５５】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される既知のデータパターンであり、チャネル応答を推定するために移動デバイス９５０において使用できる。各データストリームの多重化されたパイロットおよび符号化データは、そのデータストリーム用に選択された特定の変調方式（たとえば、２相偏移キーイング（ＢＰＳＫ）、４相偏移キーイング（ＱＰＳＫ）、Ｍ相偏移キーイング（Ｍ−ＰＳＫ）、多値直交振幅変調（Ｍ−ＱＡＭ）など）に基づいて変調（たとえばシンボルマッピング）して、変調シンボルを与えることができる。各データストリームのデータ速度、符号化、および変調は、プロセッサ９３０によって実行または与えられる命令によって決定できる。
【００５６】
データストリームの変調シンボルはＴＸ  ＭＩＭＯプロセッサ９２０に与えられ、ＴＸ  ＭＩＭＯプロセッサ９２０は、さらに（たとえばＯＦＤＭ用に）変調シンボルを処理することができる。次いで、ＴＸ  ＭＩＭＯプロセッサ９２０はＮＴ個の変調シンボルストリームをＮＴ個の送信機（ＴＭＴＲ）９２２ａ〜９２２ｔに与える。様々な実施形態において、ＴＸ  ＭＩＭＯプロセッサ９２０は、データストリームのシンボルと、シンボルが送信されているアンテナとにビームフォーミング重みを適用する。
【００５７】
各送信機９２２は、それぞれのシンボルストリームを受信し、処理して、１つまたは複数のアナログ信号を生成し、さらに、それらのアナログ信号を調整（たとえば、増幅、フィルタリング、およびアップコンバート）して、ＭＩＭＯチャネルを介して送信するのに適した変調信号を与える。さらに、送信機９２２ａ〜９２２ｔからのＮＴ個の変調信号は、それぞれＮＴ個のアンテナ９２４ａ〜９２４ｔから送信される。
【００５８】
移動デバイス９５０では、送信された変調信号はＮＲ個のアンテナ９５２ａ〜９５２ｒによって受信され、各アンテナ９５２からの受信信号は、それぞれの受信機（ＲＣＶＲ）９５４ａ〜９５４ｒに与えられる。各受信機９５４は、それぞれの信号を調整（たとえば、フィルタリング、増幅、およびダウンコンバート）し、調整された信号をデジタル化してサンプルを与え、さらに、それらのサンプルを処理して、対応する「受信」シンボルストリームを与える。
【００５９】
ＲＸデータプロセッサ９６０は、特定の受信機処理技法に基づいてＮＲ個の受信機９５４からＮＲ個の受信シンボルストリームを受信し、処理して、ＮＴ個の「検出」シンボルストリームを与えることができる。ＲＸデータプロセッサ９６０は、各検出シンボルストリームを復調し、デインタリーブし、復号して、データストリームのトラフィックデータを復元することができる。ＲＸデータプロセッサ９６０による処理は、基地局９１０においてＴＸ  ＭＩＭＯプロセッサ９２０およびＴＸデータプロセッサ９１４によって実行される処理を補足するものである。
【００６０】
プロセッサ９７０は、上述のように、どのプリコーディング行列を利用すべきかを周期的に決定することができる。さらに、プロセッサ９７０は、行列インデックス部と階数値部とを備える逆方向リンクメッセージを作成することができる。
【００６１】
逆方向リンクメッセージは、通信リンクおよび／または受信データストリームに関する様々なタイプの情報を備えることができる。逆方向リンクメッセージは、（データソース９３６から複数のデータストリームのトラフィックデータをも受信する）ＴＸデータプロセッサ９３８によって処理され、変調器９８０によって変調され、送信機９５４ａ〜９５４ｒによって調整され、基地局９１０に戻される。
【００６２】
基地局９１０において、移動デバイス９５０からの変調信号は、アンテナ９２４によって受信され、受信機９２２によって調整され、復調器９４０によって復調され、ＲＸデータプロセッサ９４２によって処理されて、移動デバイス９５０によって送信された逆方向リンクメッセージが抽出される。さらに、プロセッサ９３０は、抽出されたメッセージを処理して、ビームフォーミング重みを決定するためにどのプリコーディング行列を使用すべきかを決定することができる。
【００６３】
プロセッサ９３０および９７０は、それぞれ基地局９１０および移動デバイス９５０における動作を指示（たとえば、制御、調整、管理など）することができる。それぞれのプロセッサ９３０および９７０は、プログラムコードおよびデータを記憶するメモリ９３２および９７２に結合できる。プロセッサ９３０および９７０はまた、それぞれアップリンクおよびダウンリンクについての周波数およびインパルス応答推定値を得るための計算を行うことができる。
【００６４】
ここで説明する実施形態は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、ここで説明する機能を実施するように設計された他の電子ユニット、またはそれらの組合せ内で実装できる。
【００６５】
実施形態は、ソフトウェア、ファームウェア、ミドルウェアまたはマイクロコード、プログラムコードまたはコードセグメントで実装した場合、記憶構成要素など、機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパッシングおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパッシング、転送、または送信することができる。
【００６６】
ソフトウェア実装の場合、ここで説明する技法は、ここで説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段を介してプロセッサに通信可能に結合できる。
【００６７】
図１０を参照すると、ＲＡＣＨを使用せずに無線ネットワークにおいてモバイル通信をハンドオーバすることを可能にするシステム１０００が示されている。たとえば、システム１０００は、少なくとも部分的に基地局、移動デバイスなどの中に常駐することができる。システム１０００は機能ブロックを含むものとして表されており、その機能ブロックは、プロセッサ、ソフトウェア、またはそれらの組合せ（たとえばファームウェア）によって実装される機能を表す機能ブロックとすることができることを諒解されたい。システム１０００は、一緒に動作することができる電気的構成要素の論理グルーピング１００２を含む。たとえば、論理グルーピング１００２は、ソース基地局１００４から無線通信サービスを受信するための電気的構成要素を含むことができる。たとえば、システム１０００は、無線通信サービスを実施するために、上述のように、１つまたは複数のチャネルを介して基地局と通信することができる。さらに、論理グルーピング１００２は、複数のターゲット基地局１００６にスケジュール要求信号を送信するための複数の割当てアップリンク制御チャネルを受信するための電気的構成要素を備えることができる。たとえば、リソースは、通信をターゲット基地局にハンドオーバすることに関連する。さらに、ターゲット基地局の他のリソースは、たとえば、ＳＲＳを送信することによって、またはターゲット基地局のＴＡ情報を求めることによってモニタできる。さらに、論理グルーピング１００２は、割当てアップリンク制御チャネル１００８のうちの少なくとも１つを介して複数のターゲット基地局のうちの選択されたターゲット基地局にスケジューリング要求を送信するための電気的構成要素を備えることができる。たとえば、ターゲット基地局のＴＡは、より効率的なハンドオーバのスケジューリング要求を送信するときに利用できる。さらに、システム１０００は、電気的構成要素１００４、１００６、および１００８に関連する機能を実行するための命令を保持するメモリ１０１０を含むことができる。メモリ１０１０の外部にあるものとして図示されているが、１つまたは複数の電気的構成要素１００４、１００６、および１００８はメモリ１０１０の内部に存在することができることを理解されたい。
【００６８】
上記で説明したことは１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような代替形態、変形形態および変更形態を包含するものとする。さらに、「含む（include）」という用語は、発明を実施するための形態または特許請求の範囲のいずれかで使用される限り、「備える（comprising）」という用語が使用時に請求項における移行語と解釈されるので「備える（comprising）」と同様に包括的なものとする。
下記に本願出願時の請求項１−２７に対応する記載が付記１−２７として表記される。
付記１
無線ネットワークにおいて通信をハンドオーバするための方法であって、
ソース基地局から無線通信サービスを受信することと、
複数のターゲット基地局にスケジュール要求信号を送信するための複数の割当てアップリンク制御チャネルを受信することと、
前記割当てアップリンク制御チャネルのうちの少なくとも１つを介して前記複数のターゲット基地局のうちの選択されたターゲット基地局にスケジューリング要求を送信することと
を備える方法。
付記２
前記複数のターゲット基地局からタイミングアドバンス（ＴＡ）情報を受信することをさらに備え、前記ＴＡ情報が前記スケジューリング要求を送信するために利用される、付記１に記載の方法。
付記３
前記ＴＡ情報が、前記複数のターゲット基地局に送信されたサウンディング基準信号に応答して受信される、付記２に記載の方法。
付記４
前記ＴＡ情報が、非同期無線通信ネットワークにおける前記複数の基地局の追加のチャネルから得られる、付記２に記載の方法。
付記５
前記選択されたターゲット基地局への通信の後続のハンドオーバを促進するために、前記タイミングアドバンスを使用して、前記１つまたは複数の割当てアップリンク制御チャネルとの同期を維持することをさらに備える、付記２に記載の方法。
付記６
前記スケジューリング要求が、少なくとも部分的に、他のターゲット基地局と比較して前記ターゲット基地局と前記ソース基地局との間の小さいタイミング差に基づいて前記選択されたターゲット基地局に送信される、付記５に記載の方法。
付記７
前記ソース基地局と前記ターゲット基地局とが時間的に同期をとられ、前記ソース基地局のタイミングが前記スケジューリング要求を送信するために利用される、付記１に記載の方法。
付記８
前記ハンドオーバ通信を送信するために前記選択されたターゲット基地局に対してより長い巡回プレフィックスを有する送信時間間隔（ＴＴＩ）を選択することをさらに備える、付記１に記載の方法。
付記９
最初のハンドオーバ通信を送信した後に前記選択されたターゲット基地局から無線通信サービスを受信することをさらに備える、付記１に記載の方法。
付記１０
複数の基地局のタイミングをモニタすること、および
少なくとも部分的に前記モニタされたタイミングに基づいて通信のハンドオーバのために前記複数の基地局のうちのターゲット基地局を選択すること
を行うように構成された少なくとも１つのプロセッサと、
前記少なくとも１つのプロセッサに結合されたメモリと
を備える無線通信装置。
付記１１
前記タイミングが、少なくとも部分的に前記基地局にサウンディング基準信号を送信することに基づいてモニタされる、付記１０に記載の無線通信装置。
付記１２
前記基地局のタイミングアドバンスが前記サウンディング基準信号を基準にして受信される、付記１１に記載の無線通信装置。
付記１３
前記少なくとも１つのプロセッサが、少なくとも部分的に前記タイミングアドバンスに基づいて前記ターゲット基地局に最初のハンドオーバメッセージを送信するようにさらに構成された、付記１２に記載の無線通信装置。
付記１４
前記少なくとも１つのプロセッサが、前記最初のハンドオーバメッセージを送信するために前記ターゲット基地局に対してより長い巡回プレフィックスを有する送信時間間隔（ＴＴＩ）を選択するようにさらに構成された、付記１３に記載の無線通信装置。
付記１５
前記少なくとも１つのプロセッサが、前記複数の基地局とのアップリンクスケジュール要求チャネルを確立するようにさらに構成され、前記確立されたアップリンクスケジュール要求チャネルが通信をハンドオーバするために利用される、付記１０に記載の無線通信装置。
付記１６
前記少なくとも１つのプロセッサが、少なくとも部分的に無線通信ネットワークにおける前記ターゲット基地局とソース基地局との間のタイミングの差に基づいて前記基地局のタイミングアドバンスを求めるようにさらに構成された、付記１０に記載の無線通信装置。
付記１７
前記アップリンクスケジューリングリソースの前記モニタが、前記無線通信装置が現在通信しているソース基地局に要求された通信ギャップ中に実施される、付記１０に記載の無線通信装置。
付記１８
無線ネットワークにおいて通信をハンドオーバするための無線通信装置であって、
ソース基地局から無線通信サービスを受信するための手段と、
複数のターゲット基地局にスケジュール要求信号を送信するための複数の割当てアップリンク制御チャネルを受信するための手段と、
前記割当てアップリンク制御チャネルのうちの少なくとも１つを介して前記複数のターゲット基地局のうちの選択されたターゲット基地局にスケジューリング要求を送信するための手段と
を備える、無線通信装置。
付記１９
前記複数のターゲット基地局からタイミングアドバンス（ＴＡ）情報を受信するための手段をさらに備え、前記ＴＡ情報が前記スケジューリング要求を送信するために利用される、付記１８に記載の無線通信装置。
付記２０
前記ＴＡ情報が、前記複数のターゲット基地局に送信されたサウンディング基準信号に応答して受信される、付記１９に記載の無線通信装置。
付記２１
前記ＴＡ情報が、非同期無線通信ネットワークにおける前記複数の基地局の追加のチャネルから得られる、付記１９に記載の無線通信装置。
付記２２
前記選択されたターゲット基地局への通信の後続のハンドオーバを可能にするために、前記タイミングアドバンスを使用して、前記１つまたは複数の割当てアップリンク制御チャネルとの同期を維持するための手段をさらに備える、付記１９に記載の無線通信装置。
付記２３
前記スケジューリング要求が、少なくとも部分的に、他のターゲット基地局と比較して前記ターゲット基地局と前記ソース基地局との間の小さいタイミング差に基づいて前記選択されたターゲット基地局に送信される、付記２２に記載の無線通信装置。
付記２４
前記ソース基地局と前記ターゲット基地局とが時間的に同期をとられ、前記ソース基地局のタイミングが前記スケジューリング要求を送信するために利用される、付記１８に記載の無線通信装置。
付記２５
前記ハンドオーバ通信を送信するために前記選択されたターゲット基地局に対してより長い巡回プレフィックスを有する送信時間間隔（ＴＴＩ）を選択することをさらに備える、付記１８に記載の無線通信装置。
付記２６
最初のハンドオーバ通信を送信した後に前記選択されたターゲット基地局から無線通信サービスを受信することをさらに備える、付記１８に記載の無線通信装置。
付記２７
ソース基地局から無線通信サービスを受信することを少なくとも１つのコンピュータに行わせるコードと、
複数のターゲット基地局にスケジュール要求信号を送信するための複数の割当てアップリンク制御チャネルを受信することを前記少なくとも１つのコンピュータを行わせるコードと、
前記割当てアップリンク制御チャネルのうちの少なくとも１つを介して前記複数のターゲット基地局のうちの選択されたターゲット基地局にスケジューリング要求を送信することを前記少なくとも１つのコンピュータに行わせるためのコードと
を備えるコンピュータ読取り可能媒体
を備えるコンピュータプログラム製品。
【図１】
0005453463.tif 000002
【図２】
0005453463.tif 000003
【図３】
0005453463.tif 000004
【図４】
0005453463.tif 000005
【図５】
0005453463.tif 000006
【図６】
0005453463.tif 000007
【図７】
0005453463.tif 000008
【図８】
0005453463.tif 000009
【図９】
0005453463.tif 000010
【図１０】
0005453463.tif 000011